(57)【要約】【課題】バーナの混合管部３３の流入口に設ける、混合管部の外端部に外嵌する筒部３４ｂを有するキャップ状のダンパ３４を、混合管部の外端部と筒部３４ｂとに形成した雄、雌の係合部で係合させて、混合管部３３に抜け止めするものにおいて、ダンパ３４を簡単に取外せるようにする。【解決手段】ダンパ３４の筒部３４ｂの先端に鍔部３４ｃを形成する。鍔部３４ｃに対向する反力受け部３８をノズル取付け部材３６に一体に形成し、反力受け部材３８と鍔部３４ｃとの間の隙間に工具を挿入して、隙間を押し広げられるようにする。【選択図】  図５
2004270952.tif 000002
【特許請求の範囲】
【請求項１】
バーナの混合管部の外端の流入口に設ける一次空気ダンパの取付け構造であって、
一次空気ダンパを、混合管部の外端部に外嵌する筒部を有するキャップ状に形成し、混合管部の外端部と一次空気ダンパの筒部との一方に雄型係合部を形成すると共に、他方に雄型係合部が嵌まり込む雌形係合部を形成して、一次空気ダンパを混合管部に抜け止めするものにおいて、
一次空気ダンパの筒部先端に鍔部を形成すると共に、鍔部に対し工具を挿入可能な隙間を存して対向する、混合管部に対し不動の反力受け部材を設けることを特徴とするバーナ用一次空気ダンパの取付け構造。
【請求項２】
前記反力受け部材は、前記両係合部の係合箇所から周方向に離隔した位置に配置されることを特徴とする請求項１に記載のバーナ用一次空気ダンパの取付け構造。
【請求項３】
前記混合管部に、前記流入口に挿入するガスノズルの取付け部材を固定し、この取付け部材に前記反力受け部材を一体に形成することを特徴とする請求項１または２に記載のバーナ用一次空気ダンパの取付け構造。
【請求項４】
内部に前記バーナを配置するガス器具の器体のメンテナンス時に開放される面をメンテナンス面として、前記鍔部と前記反力受け部材との間の隙間にメンテナンス面側から工具を挿入できるように、前記反力受け部材の位置を設定することを特徴とする請求項１〜３の何れか１項に記載のバーナ用一次空気ダンパの取付け構造。
【発明の詳細な説明】
【０００１】
【発明の属する技術分野】
本発明は、温風暖房器等のガス器具に配置するバーナ用の一次空気ダンパの取付け構造に関する。
【０００２】
【従来の技術】
バーナの混合管部の外端の流入口には、ガスノズルが挿入されると共に、ガスノズルから噴出されるガス流により吸引される一次空気量を制限する一次空気ダンパが設けられている。ガス種の変更時には、ガスノズルだけでなく一次空気ダンパもガス種に応じたものに交換する必要がある。そのため、一次空気ダンパは、混合管部に対し着脱自在に取り付けられる。
【０００３】
コンロ等で使用する一般的なバーナでは、一次空気ダンパを、混合管部の外端部に外嵌する筒部を有するキャップ状に形成し、混合管部の外端部と一次空気ダンパの筒部との一方に雄型係合部を形成すると共に、他方に雄型係合部が嵌まり込む雌形係合部を形成して、一次空気ダンパを混合管部に抜け止めするようにしている。この場合、一次空気ダンパを混合管部にガタ無くしっかりと取り付けるために、雌形係合部に雄型係合部がきつく嵌まるようにすると、一次空気ダンパを素手で取り外すことは困難になる。コンロでは、バーナをコンロ本体から容易に取り外すことができるため、バーナを取り外した状態で、一次空気ダンパの筒部内周にマイナスドライバ等の工具を差し込んで抉ることにより一次空気ダンパを取り外すことができる。
【０００４】
然し、温風暖房器では、暖房器の器体内の燃焼筐にバーナが収納されていて、バーナを容易には取り外せない。ここで、混合管部の外端部は燃焼筐の外方に露出しているが、バーナを燃焼筐に組み付けたままでは、燃焼筐が邪魔になって一次空気ダンパの筒部内周に工具を差し込むことはできない。従って、温風暖房器において上記の如き一次空気ダンパの取付け構造を採用すると、一次空気ダンパの交換に際し、バーナの取り外しが必要になり、交換作業が非常に面倒になる。
【０００５】
また、温風暖房器における一次空気ダンパの取付け構造として、従来、図７に示すものが知られている（例えば、特許文献１参照。）。このものでは、燃焼筐ａから露出する混合管部ｂの流入口に、ノズルの取付け部材に兼用されるダンパ取付け板ｃを固設し、前縁に屈曲部ｄを有する平板状の一次空気ダンパｅをダンパ取付け板ｃに重ねた状態で、屈曲部ｄにおいてダンパ取付け板ｃに螺子ｆ止めしている。ここで、温風暖房器は、器体の前面を開放できるようになっている。従って、器体の前面を開放した状態で、前方から螺子ｆにドライバを係合させて螺子ｆを外すことにより、バーナを燃焼筐ａに組み付けたまま一次空気ダンパｅを取り外すことができる。
【０００６】
【特許文献１】
実公平６−２４６５９号公報（第２頁、第４図）
【０００７】
【発明が解決しようとする課題】
【０００８】
上記従来例のものでは、螺子ｆを用いる関係でコストが高くなると共に、一次空気ダンパｅの脱着に際し螺子ｆの取り外しや締め込み作業が必要になって手間がかかる。
【０００９】
尚、一次空気ダンパに弾性的に撓む舌片状の係合部を形成し、この係合部を混合管部に形成した係合段部に係合させて、一次空気ダンパを混合管部に係止するものも知られる。然し、この取付け構造では、一次空気ダンパをしっかりと固定できず、温風暖房器に採用した場合、ファンモータの振動等で一次空気ダンパが振動してビビリ音が発生する。
【００１０】
本発明は、以上の点に鑑み、一次空気ダンパを混合管部にしっかりと固定できると共に、一次空気ダンパを簡単に取外すことができるようにした一次空気ダンパの取付け構造を提供することをその課題としている。
【００１１】
【課題を解決するための手段】
上記課題を解決するために、本発明は、バーナの混合管部の外端の流入口に設ける一次空気ダンパの取付け構造であって、一次空気ダンパを、混合管部の外端部に外嵌する筒部を有するキャップ状に形成し、混合管部の外端部と一次空気ダンパの筒部との一方に雄型係合部を形成すると共に、他方に雄型係合部が嵌まり込む雌形係合部を形成して、一次空気ダンパを混合管部に抜け止めするものにおいて、一次空気ダンパの筒部先端に鍔部を形成すると共に、鍔部に対し工具を挿入可能な隙間を存して対向する、混合管部に対し不動の反力受け部材を設けている。
【００１２】
上記の構成によれば、雌形係合部に雄型係合部がきつく嵌まるようにすることで、一次空気ダンパを混合管部にしっかりと固定できる。そして、このようにしても、鍔部と反力受け部材との間の隙間にドライバ等の工具の先端部を挿入して、この隙間を押し広げるように工具を動かすことにより、一次空気ダンパを簡単に取外すことができる。
【００１３】
この場合、反力受け部材を、雄型と雌型の両係合部の係合箇所から周方向に離隔した位置に配置しておけば、反力受け部材に対向する鍔部の部分が工具からの力を受ける力点、当該部分に対し周方向反対側の筒部の部分が支点、反力受け部材から周方向に離隔した両係合部の係合箇所が作用点となって、てこの原理により両係合部の係合箇所に強い力が作用する。そのため、鍔部に左程大きな力を加えなくても、両係合部の係合が解除されて、一次空気ダンパが短時間で簡単且つ確実に取外される。
【００１４】
また、一次空気ダンパの取付けに際しては、一次空気ダンパを混合管部の端部に強く押し込むことが必要になるが、鍔部に指を掛けることで一次空気ダンパの押し込み時に力を加えやすくなり、ダンパ取付け作業も容易になる。
【００１５】
ところで、反力受け部材を混合管部に一体に設けることも可能であるが、これでは、一次空気ダンパの取外し時に反力受け部材が受ける鍔部の押し反力で混合管部に無理な力がかかる可能性がある。ここで、混合管部には、一般に、その流入口に挿入するガスノズルの取付け部材が固定されている。この取付け部材に反力受け部材を一体に形成しておけば、混合管部に無理な力が掛かることを防止でき、且つ、部品点数の増加によるコストアップも回避でき、有利である。
【００１６】
温風暖房器等のガス器具の器体内にバーナを配置する場合は、メンテナンス時に開放される器体の面をメンテナンス面として、前記鍔部と前記反力受け部材との間の隙間にメンテナンス面側から工具を挿入できるように、反力受け部材の位置を設定することが望ましい。即ち、これによれば、バーナを取外さなくても、メンテナンス面側から前記隙間に工具を挿入して一次空気ダンパを取外すことができ、一次空気ダンパの交換作業が容易になる。
【００１７】
【発明の実施の形態】
【００１８】
図１は温風暖房器を示している。この温風暖房器の器体１内には、下部の送風ファン２と、その上方に位置する、バーナ３を内蔵する燃焼筐４と、燃焼筐４の配置部を上方から前方に亘って囲う仕切板５とが配置されている。そして、器体１内に、仕切板５によって燃焼筐４の周囲の通風路６を画成し、送風ファン２の作動により器体１の背面の吸込み口７から通風路６に空気を吸込み、燃焼筐４からの燃焼排ガスと空気とを混合して、器体１の前面板１ａの下部に開設した送風口８から温風として吹き出すようにしている。
【００１９】
燃焼筐４には、吸込み口７からの空気の一部を燃焼用空気として取入れる後面下部の空気取入口４ａと、上端の排気口４ｂとが開設されている。そして、排気口４ｂ上にガイド板９を設けて、排気口４ｂからの燃焼排ガスがガイド板９の上側に流れる空気と熱交換しつつ燃焼筐４の前面側の通風路６の部分に吸引排気されるようにしている。
【００２０】
バーナ３は、図２〜図４に示す如く、横方向に長手であって、上方に開口するバーナ本体３０と、バーナ本体３０の上面に開口部を覆うように取り付けた炎口板３１と、炎口板３１の上方空間を囲うように取り付けた二次空気カバー３２とを備えている。そして、炎口板３１に形成した多数のスリット状の炎口３１ａから噴出するガスを二次空気カバー３２内で二次空気を制限した状態で一次燃焼させた後、二次空気カバー３２の上面の開口部３２ａ上で二次燃焼させるようにし、窒素酸化物の発生を抑制している。
【００２１】
バーナ本体３０は、プレス成形された前後２枚の板材３０ａ，３０ａを両板材のフランジ部３０ｂにおいて接合して成る板金製のものである。バーナ本体３０には、上面の開口部の前後両側の外曲げフランジ３０ｃが形成されており、このフランジ３０ｃに炎口板３１の前後の側部を重ね合わせて、両者をスポット溶接等で固定している。そして、フランジ３０ｃと炎口板３１との重ね合わせ部に複数の通気孔３１ｂを形成して、二次空気カバー３２内に通気孔３１ｂから制限された量の二次空気が流入するようにしている。
【００２２】
二次空気カバー３２は、その前後の側板３２ｂの下縁の横方向２箇所において、炎口板３１のヘミング加工部３１ｃにより炎口板３１にカシメ固定されている。そして、二次空気カバー３２の側板３２ｂに、ヘミング加工部３１ｃの両脇に位置させて、炎口板３１に対する二次空気カバー３２の熱膨張差を吸収する切欠き部３２ｃを形成し、熱膨張差に起因するきしみ音の発生を防止している。この場合、切欠き部３２ｃが炎口板３１の上面上の燃焼空間に臨むと、切欠き部３２ｃからも二次空気が流入して二次空気量が過多になる。そこで、二次空気カバー３２の前後の側板３２ｂを炎口板３１の上面より下方に延長すると共に、炎口板３１の前後両側縁に下方に屈曲する垂下部３１ｄを形成している。そして、垂下部３１ｄの下縁に、二次空気カバー３２の前後の側板３２ｂの下縁を隙間を存して受けるＵ字状の受け部３１ｅを形成し、この受け部３１ｅを横方向に離れた２箇所でヘミング加工して、このヘミング加工部３１ｃにより二次空気カバー３２を炎口板３１にカシメ固定している。これにより、二次空気カバー３２の前後の側板３２ｂに形成する、ヘミング加工部３１ｃの両脇の切欠き部３２ｃが炎口板３１の上面より下方に位置するようにしている。尚、受け部３１ｅと側板３２ｂとの間には、ヘミング加工部３１ｃ以外の部分において、隙間が空いているため、二次空気カバー３２の熱膨張により受け部３１ｅと側板３２ｂとの間できしみ音が発生することはない。
【００２３】
バーナ本体３０には、横方向一方にのびて、燃焼筐４の横方向一側の側板４ｃの外方に露出する混合管部３３が一体に形成されている。混合管部３３の外端の流入口３３ａには、図５に示す如く、一次空気ダンパ３４が装着され、更に、ガスノズル３５が一次空気ダンパ３４に形成した一次空気口３４ａを通して流入口３３ａに挿入されている。ガスノズル３５は、混合管部３３の上下のフランジ部３０ｂ，３０ｂに上下のアーム部３６ａ，３６ａにおいて固定した略コ字状のノズル取付け部材３６に押え金具３６ｂによって取付けられている。
【００２４】
一次空気ダンパ３４は、図６に明示する如く、混合管部３４の外端部に外嵌する筒部３４ｂを有するキャップ状に形成されている。また、混合管部３３の外端部外周には、半球状の突起から成る前側と後側の一対の雄型係合部３７ａ，３７ａが形成され、一方、一次空気ダンパ３４の筒部３４ｂには、両雄型係合部３７ａ，３７ａが嵌まり込む孔から成る前側と後側の一対の雌型係合部３７ｂ，３７ｂが形成されている。雄型係合部３７ａは、雌型係合部３７ｂにきつく嵌まり込むようにその大きさが設定されており、そのため、混合管部３３に一次空気ダンパ３４がしっかりと固定され、送風ファン２の回転振動で一次空気ダンパ３４が振動してビビリ音を生ずるようなことが防止される。
【００２５】
また、一次空気ダンパ３４の筒部３４ｂの先端には、径方向外方に屈曲する鍔部３４ｃが形成されている。尚、鍔部３４ｃおよび筒部３４ｂには、上下のフランジ部３０ｂ，３０ｂに対する干渉逃げのための上下の切欠き部３４ｄが形成されている。
【００２６】
このように、鍔部３４ｃを形成することにより、作業者が指を鍔部３４ｃに掛けて、一次空気ダンパ３４を強く押し込むことができ、一次空気ダンパ３４の取付け作業が容易になる。
【００２７】
また、ガス種変更時の一次空気ダンパ３４の交換に際し、鍔部３４ｃの内側に指を掛けて、一次空気ダンパ３４を横方向外方に押すことにより、一次空気ダンパ３４を取外すことも可能である。然し、雄型係合部３７ａと雌型係合部３７ｂとの係合が解かれたとき、一次空気ダンパ３４が急に外れるため、それまで鍔部３４ｃを強く押していた指が反力を失って不用意に勢いよく動いてしまい、指がノズル取付け部材３６といった器物に当たって負傷する可能性ある。
【００２８】
そこで、本実施形態では、ノズル取付け部材３６の上下の各アーム部３６ａに、鍔部３４ｃに対し流入口３３ａから離隔する方向、即ち、横方向内方に位置させて、前方に屈曲する舌片状の反力受け部材３８を一体に形成し、反力受け部材３８と鍔部３４ｃとの間の隙間に、前方からマイナスドライバ等の工具Ａを挿入自在としている。
【００２９】
ここで、器体１の前面板１ａは着脱自在になっている。そして、メンテナンス時に、前面板１ａを取外して器体１の前面を開放することにより、前面側から反力受け部材３８と鍔部３４ｃとの間の隙間に工具Ａを挿入することができる。そのため、バーナ３を燃焼筐４に組み付けたままでも、工具Ａを上下何れかの反力受け部材３８と鍔部３４ｃとの間の隙間に挿入して、この隙間を押し広げるように工具Ａを動かすことにより、怪我の心配なく一次空気ダンパ３４を取外すことができる。
【００３０】
また、上下の各反力受け部材３８は、雄型係合部３７ａが雌型係合部３７ｂに係合する前後の係合箇所に対し周方向に略９０°離隔している。そのため、反力受け部材３８に対向する鍔部３４ｃの部分を力点、該部分の周方向反対側の筒部３４ｂの部分を支点として、てこの原理により、作用点たる雄型係合部３７ａと雌型係合部３７ｂの係合箇所には鍔部３４ｃに加える力のほぼ倍の力が作用する。従って、鍔部３４ｃに左程大きな力を加えなくても、雄型係合部３７ａと雌型係合部３７ｂの係合が解除される。かくして、一次空気ダンパ３４を短時間で簡単且つ確実に取外すことができる。また、各反力受け部材３８は、前後２つの係合箇所間の略中央に位置するため、これら２つの係合箇所にほぼ均等に解除の力が加えられることになり、一次空気ダンパ３４の傾ぎを生じて、一方の係合箇所が外れても他方の係合箇所が一層食い込むといった状態になることを防止できる。
【００３１】
尚、上記実施形態では、雌型係合部３７ｂを孔で構成したが、窪み部で構成しても良く、更には、一次空気ダンパ３４の筒部３４ｂに径方向内方に突出する雄型係合部、混合管３３の外端部に雌型係合部を形成しても良い。また、上記実施形態では、雄型と雌型の係合部３７ａ，３７ｂを夫々前後一対に形成したが、各係合部３７ａ，３７ｂの個数は１個であっても良い。
以上、温風暖房器におけるバーナ３用の一次空気ダンパ３４の取付け構造について説明したが、温風暖房器以外のガス器具に設けるバーナ用の一次空気ダンパの取付け構造にも同様に本発明を適用できる。
【図面の簡単な説明】
【図１】本発明を適用したバーナを具備する温風暖房器の断面図。
【図２】バーナの正面図。
【図３】バーナの平面図。
【図４】図２のＩＶ―ＩＶ線で切断した拡大断面図。
【図５】要部の斜視図。
【図６】一次空気ダンパの斜視図。
【図７】従来例の斜視図。
【符号の説明】
１…器体  １ａ…前面板  ３…バーナ  ３３…混合管部  ３３ａ…流入口  ３４…一次空気ダンパ  ３４ｂ…筒部  ３４ｃ…鍔部  ３５…ガスノズル  ３６…ノズル取付け部材  ３７ａ…雄型係合部  ３７ｂ…雌型係合部  ３８…反力受け部材  Ａ…工具
【図１】
2004270952.tif 000003
【図２】
2004270952.tif 000004
【図３】
2004270952.tif 000005
【図４】
2004270952.tif 000006
【図５】
2004270952.tif 000007
【図６】
2004270952.tif 000008
【図７】
2004270952.tif 000009